(57)【要約】      （修正有）【課題】内部バッテリが補聴器に電力を供給できない時、バッテリアセンブリは、補聴器の充電コイル／回路により、補聴器内バッテリの外部給電を可能にする方法の提供。【解決手段】少なくとも第１の表面及び第２の表面を有する本体部分であって、誘導コイルとして形成された第１の電極を備える前記本体部分と、前記補聴器の補聴器筺体に前記本体部分を取り付けるための第１の取り付け部材であって、前記第１の表面のうちの少なくとも特定部分上にある前記第１の取り付け部材と、直流電流源を前記本体部分に取り付けるための第２の取り付け部材と、前記直流電流源の第１の出力端子及び第２の出力端子にそれぞれ接続可能な第１の入力端子及び第２の入力端子を有する電子回路であって、前記第１の電極に接続されており、前記直流電流源からの直流電流を前記誘導コイル内の交流電流に変換するように構成されている前記電子回路と、を備えるバッテリアセンブリ。【選択図】なし【特許請求の範囲】
【請求項１】
補聴器に給電するためのバッテリアセンブリであって、
少なくとも第１の表面及び第２の表面を有する本体部分であって、誘導コイルとして形成された第１の電極を備える前記本体部分と、
前記補聴器の補聴器筺体に前記本体部分を取り付けるための第１の取り付け部材であって、前記第１の表面のうちの少なくとも特定部分上にある前記第１の取り付け部材と、
直流電流源を前記本体部分に取り付けるための第２の取り付け部材と、
前記直流電流源の第１の出力端子及び第２の出力端子にそれぞれ接続可能な第１の入力端子及び第２の入力端子を有する電子回路であって、前記第１の電極に接続されており、前記直流電流源からの直流電流を前記誘導コイル内の交流電流に変換するように構成されている前記電子回路と、
を備える、バッテリアセンブリ。
【請求項２】
前記本体部分がシートとして実現されている、請求項１に記載のバッテリアセンブリ。
【請求項３】
前記第１の取り付け部材は、前記第１の表面又は前記第２の表面の少なくとも一部分を被覆する第１の接着剤層である、請求項１又は２に記載のバッテリアセンブリ。
【請求項４】
前記第２の取り付け部材は、前記第１の入力端子及び／又は前記第２の入力端子に電気的に接続された１個以上の導電性の第２の接着剤層を備える、請求項１から３のいずれか一項に記載のバッテリアセンブリ。
【請求項５】
前記バッテリアセンブリは、前記第１の接着剤層を被覆する取り外し可能な第１の保護シートを備える、請求項３に記載のバッテリアセンブリ。
【請求項６】
前記バッテリアセンブリは、バッテリ・アクティブ化タブによって、又は、前記第１の表面の一部分によって封止された１個以上のアクティブ化開口が設けられた筺体を有するバッテリである前記直流電流源を備える、請求項１から５のいずれか一項に記載のバッテリアセンブリ。
【請求項７】
前記バッテリアセンブリは、前記１個以上の第２の接着剤層を被覆する１枚以上の第２の保護シートを備える、請求項４に記載のバッテリアセンブリ。
【請求項８】
前記バッテリアセンブリは、前記電子回路の入力端子と前記直流電流源の出力端子との間にアクティブ化部分を備える、請求項１から７のいずれか一項に記載のバッテリアセンブリ。
【請求項９】
前記本体部分がプリント回路基板である、請求項１から８のいずれか一項に記載のバッテリアセンブリ。
【請求項１０】
前記第１の接着剤層が、前記補聴器の前記補聴器筺体に付着するように構成されている、請求項１から９のいずれか一項に記載のバッテリアセンブリ。
【請求項１１】
前記本体部分は、１０ｍｍから５０ｍｍの範囲の長さを有し、第１の端及び第２の端を有する細長いシートである、請求項１から１０のいずれか一項に記載のバッテリアセンブリ。
【請求項１２】
前記本体部分は、Ｔ字形状、Ｌ字形状、Ｉ字形状、又は十字形状から選択された形状を有する、請求項１から１１のいずれか一項に記載のバッテリアセンブリ。
【請求項１３】
直流電流源で補聴器に給電する方法であって、
バッテリアセンブリを提供することと、
前記バッテリアセンブリの本体部分に前記直流電流源を取り付けることと、
前記直流電流源をアクティブにすることと、
を含み、
前記バッテリアセンブリは、
少なくとも第１の表面及び第２の表面を有する前記本体部分であって、誘導コイルとして形成された第１の電極を備える前記本体部分と、
前記補聴器の補聴器筺体に前記本体部分を取り付けるための第１の取り付け部材であって、前記第１の表面のうちの少なくとも特定部分上にある前記第１の取り付け部材と、
前記直流電流源を前記本体部分に取り付けるための第２の取り付け部材と、
前記直流電流源の第１の出力端子及び第２の出力端子にそれぞれ接続可能な第１の入力端子及び第２の入力端子を有する電子回路であって、前記直流電流源からの直流電流を前記誘導コイル内の交流電流に変換するために前記第１の電極に接続されている電子回路と、
を備える、方法。
【請求項１４】
前記方法は、さらに、
前記バッテリアセンブリを前記補聴器に取り付けることと、
前記誘導コイルを前記補聴器の誘導コイルにアライメントすることと、
を含む、請求項１３に記載の方法。
【請求項１５】
前記バッテリアセンブリを前記補聴器に取り付けることは、第１の接着剤層を被覆する第１の保護シートを取り外すことによって、前記第１の接着剤層を露出させることを含む、請求項１４に記載の方法。
【発明の詳細な説明】
【技術分野】
【０００１】
本発明は、補聴器用バッテリアセンブリに関し、特に、補聴器に無線で給電するバッテリアセンブリに関する。
【背景技術】
【０００２】
再充電可能なバッテリ技術の進展に伴い、有線で又は無線で充電され得る再充電可能なバッテリを備えた補聴器が出現している。補聴器のユーザは、補聴器が使用されていない期間中に、たとえば、補聴器がユーザから外されて電源切断される、夜間又は他の非使用期間中に、補聴器を定期的に再充電することが必要とされる。ユーザが補聴器の再充電を忘れ、バッテリが切れると、ユーザは、補聴器を外して、バッテリを再充電するために充電器に配置することが必要とされ、その後、補聴器の使用が可能となる。このことは不便であり、ユーザ利便性を低減する恐れがある。
【発明の概要】
【発明が解決しようとする課題】
【０００３】
再充電可能なバッテリ、特に無線で再充電可能なバッテリを備えた補聴器のユーザ利便性を改善する装置及び方法に対する必要性が存在する。
【課題を解決するための手段】
【０００４】
したがって、補聴器に給電するためのバッテリアセンブリが提供される。バッテリアセンブリは、本体部分と、補聴器の補聴器筺体に本体部分を取り付けるための第１の取り付け部材と、を備える。本体部分は、少なくとも第１の表面及び第２の表面を有している。本体部分は、誘導コイルとして形成された第１の電極を備える。第１の取り付け部材は、第１又は第２の表面の少なくとも１次部分上にある。バッテリアセンブリは、直流電流源を本体部分に取り付けるための第２の取り付け部材と、直流電流源の第１の出力端子及び第２の出力端子にそれぞれ接続可能な第１の入力端子及び第２の入力端子を有する電子回路と、を備える。電子回路は、第１の電極に接続されている。電子回路は、直流電流源からの直流電流を、誘導コイル内の交流電流に変換するように構成されている。
【０００５】
さらに、直流電流源で補聴器に給電するための方法が提供される。この方法は、本明細書に記載されたバッテリアセンブリを提供することと、バッテリアセンブリの本体部分に直流電流源を取り付けることと、直流電流源をアクティブにすることとを含む。
【０００６】
バッテリアセンブリは、補聴器の充電コイル／回路又は補聴器内の別個の電力コイルを使用することにより、補聴器内のバッテリの誘導充電のために構成された補聴器の外部給電を可能にする。したがって、バッテリアセンブリは、緊急電源か、又は、たとえば財布内にユーザが携帯することの可能な外部電源を提供する。ユーザが自分の補聴器の充電を忘れた場合、又は、何らかの他の理由により補聴器の電力が切れた場合、ユーザは、誘導充電が再び利用可能になるまで、補聴器に給電するためのバッテリアセンブリを利用してもよい。さらに、バッテリアセンブリは、補聴器が使用中であって聴力補償を実施している間、補聴器に給電することができる。
【０００７】
内部バッテリが補聴器に電力を供給することができないときに、たとえば緊急使用用の外部電源を提供することによって、再充電可能な聴力補助器又は補聴器を使用するユーザにとってのユーザ体験が大いに改善されることが、本発明の重要な利点である。
【図面の簡単な説明】
【０００８】
【図１】例示的なバッテリアセンブリが取り付けられた例示的な補聴器を概略的に例示する図である。
【図２】例示的なバッテリアセンブリを概略的に例示する図である。
【図３】例示的なバッテリアセンブリを概略的に例示する図である。
【図４】例示的なバッテリアセンブリを概略的に例示する図である。
【図５】例示的なバッテリアセンブリを概略的に例示する図である。
【図６】例示的なバッテリアセンブリを概略的に例示する図である。
【図７】直流電流源とシートとの間の境界面を概略的に例示する図である。
【図８】例示的なバッテリアセンブリが取り付けられた例示的な補聴器を概略的に例示する図である。
【図９】この発明による例示的な方法のフロー図である。
【発明を実施するための形態】
【０００９】
開示されたバッテリアセンブリは、補聴器内の再充電可能なバッテリが切れたときでさえも、補聴器のユーザにとって使用が容易であって簡便な２次電源を提供することにより、ユーザが再充電可能な補聴器を使用することを可能にする。
【００１０】
電子回路は、第１の入力端子又は入力ノードと、第２の入力端子又は入力ノードとを備える。第１の入力端子は、直流電流（ＤＣ）源の第１の出力端子に接続されるか、接続可能であるか、又は、接続するように構成されており、第２の入力端子は、ＤＣ源の第２の出力端子に接続されるか、接続可能であるか、又は、接続するように構成されている。これらの入力端子は、入力電極を介して入力端子に接続された複数個のパッドを介して、ＤＣ源に接続可能であってもよいし、接続するように構成されていてもよい。
【００１１】
電子回路は、第１の出力端子と任意に第２の出力端子とを含む１個以上の出力端子又はノードを備える。電子回路の第１及び第２の出力端子は、誘導コイルを形成する第１の電極のそれぞれの端又は点に接続されていてもよい。
【００１２】
電子回路は、ＤＣ源からのＤＣを交流電流（ＡＣ）に変換するための発振器を備えていてもよい。発振器は、１２５ｋＨｚから１５ＭＨｚの範囲の周波数を有する出力信号を提供するように構成されていてもよい。
【００１３】
バッテリアセンブリは、１個以上の第１の入力電極を介して電子回路の第１の入力端子に接続された１個以上の第１のパッドを備えていてもよい。
【００１４】
バッテリアセンブリは、１個以上の第２の入力電極を介して電子回路の第２の入力端子に接続された１個以上の第２のパッドを備えていてもよい。バッテリアセンブリは、１個以上の第２の入力電極を介して第２の入力端子に各々が接続された、１次の第２のパッド、２次の第２のパッド、及び任意に、３次の第２のパッドを備えていてもよい。パッドは、電子回路の入力端子と、ＤＣ源から電子回路に電力を供給するためのＤＣ源の出力端子との間の電気的接続を容易にする。
【００１５】
第１の取り付け部材は、第１の接着剤層又は部分であってもよい。バッテリアセンブリの第１の表面上の第１の接着剤層又は部分は、バッテリアセンブリの、補聴器筺体への取り外し可能な取り付けを可能にする。第１の接着剤層は、たとえば、補聴器の誘導充電コイル又は電力コイルに関して、正確であってかつ安定性を有する第１の誘導コイルの位置決めを確保するために、当該誘導コイルを被覆していてもよいし、少なくとも部分的に被覆していてもよい。
【００１６】
補聴器筺体にバッテリアセンブリを取り付けるための第１の接着剤層は、本体部分の第１の表面又は第２の表面上に配設されていてもよい。
【００１７】
第１の取り付け部材は、第１の接着剤層であってもよい。
【００１８】
第１の取り付け部材は、補聴器の補聴器筺体の周囲に部分的に又は完全に嵌まるように構成された弾力性ばねクランプであってもよい。
【００１９】
第１の取り付け部材は、補聴器筺体に係合するために、かつ、補聴器の補聴器筺体の周囲に部分的に又は完全に嵌まるように構成された係合部材であってもよい。第１の取り付け部材は、弾性のバンド又はストラップを備えていてもよい。
【００２０】
バッテリアセンブリは、第１の保護シートを含む１枚以上の取り外し可能な保護シートを備えていてもよい。第１の保護シートは、第１の接着剤層を被覆していてもよいし、少なくとも部分的に被覆していてもよい。取り外し可能な第１の保護シートの目的は、第１の接着剤層を露出させる必要なく、ユーザがバッテリアセンブリを取り扱い得ることであってもよい。ユーザがバッテリアセンブリを補聴器に取り付けることを望むときには、第１の保護シートを取り外すことによって第１の接着剤層を露出させることができ、次いで、補聴器にバッテリアセンブリを取り付けることができる。
【００２１】
直流電流源は、バッテリなどのあらゆる直流電流源であってもよい。直流電流源は、どのようなタイプのバッテリであってもよい。バッテリは、補聴器で従来通り使用されるものと同じタイプのもの、たとえば亜鉛−空気バッテリであってもよい。ＤＣ源は、１．１Ｖから３Ｖの範囲の供給電圧を提供してもよい。
【００２２】
いくつかのバッテリ、たとえば亜鉛−空気バッテリ、アルミニウム−空気バッテリ、又はリチウム−空気バッテリは、酸素との反応に依拠しており、１個以上のアクティブ化開口を開封又は暴露してバッテリ内に空気を入れることにより、アクティブにされてもよい。したがって、直流電流源は、１個以上のアクティブ化開口が設けられた筺体を有するバッテリであってもよい。１個以上のアクティブ化開口は、バッテリ・アクティブ化タブで封止されていてもよい。１個以上のアクティブ化開口は、本体部分の一部分、たとえば、第１の接着剤層などの第１の取り付け部材を備えた第１の表面の特定部分によって、代替的に又は付加的に、封止及び／又は被覆されていてもよい。
【００２３】
例示的なバッテリアセンブリにおいて、バッテリアセンブリの本体部分は、シートの形であってもよい。バッテリアセンブリは、ＤＣ源をシートに保持もしくは取り付けるためにも構成されてもよいし、ＤＣ源を備えていてもよい。バッテリアセンブリは、ＤＣ源をバッテリアセンブリに取り付けるため、及び／又は、１個以上のパッドと１個以上のＤＣ源の出力端子との間における電気的接触をもたらすため、の１個以上の第２の取り付け部材を備え得る。
【００２４】
１個以上の第２の取り付け部材は、１個以上の第２の接着剤層を含んでいてもよい。
【００２５】
１次の第２の接着剤層及び／又は２次の第２の接着剤層などの１個以上の第２の接着剤層の各々は、電子回路の複数個の入力端子のうちの１つのパッド又は入力端子を、直流電流源の出力端子に電気的に接続するように構成されていてもよい。したがって、直流電流源は、１個以上の第２の接着剤層によってバッテリアセンブリに固定されていてもよい。１次の第２の接着剤層又は２次の第２の接着剤層は、第１の接着剤層に統合されていてもよい。
【００２６】
第２の取り付け部材は、第１の入力端子及び第２の入力端子にそれぞれ接続された電気的コネクタ部材又はパッドを備えた、バッテリ台座又はバッテリ室であってもよい。バッテリ台座又はバッテリ室は、たとえばプレス嵌め係合においてバッテリ又は他のＤＣ源を保持するように構成されていてもよい。
【００２７】
例示的なバッテリアセンブリにおいて、第２の取り付け部材は、直流電流源をバッテリアセンブリに固定する。たとえば、直流電流源の第１及び／又は第２の出力端子は、バッテリアセンブリに固定される。たとえば、ＤＣ源をバッテリアセンブリに固定して、それぞれの出力端子とパッドとの間の電気的接続を形成するために、導電性の糊又は他の係止具が使用されてもよい。
【００２８】
バッテリアセンブリは、取り外し可能な第１の保護シートと、任意に、取り外し可能な１枚以上の第２の保護シートとを含む、取り外し可能な複数枚の保護シートを備えていてもよい。
【００２９】
取り外し可能な１枚以上の第２の保護シートは、１個以上の第２の接着剤層を被覆していてもよい。したがって、ユーザは使用前に、１個以上の第２の接着剤層を露出させることなく、バッテリアセンブリを取り扱い得る。直流電流源がシートに取り付けられる準備が整ったとき、及び／又は、アクティブにされる準備が整ったとき、ユーザは、電子回路の入力端子を直流電流源の出力端子に付設するために、第２の保護シートを取り外すことができ、それによって第２の接着剤層を露出させる。単一の保護シート、たとえば第１の保護シートが、第１の接着剤層と、１個以上の第２の接着剤層と、を被覆していてもよい。
【００３０】
取り外し可能な第２の保護シートは、１次の第２の保護シート、２次の第２の保護シート、及び／又は、３次の第２の保護シートなどの取り外し可能な複数枚の第２の保護シートを含んでいてもよい。取り外し可能な複数の第２の保護シートの各々は、複数の第２の接着剤層のうちの１つを被覆していてもよい。第２の保護シートが利用されるかどうかは、ＤＣ源が事前に取り付けられているか否かに依存する。１枚以上の第２の保護シート、たとえば全ての第２の保護シートは任意であり、ＤＣ源がバッテリアセンブリに事前に取り付けられている場合、省略されてもよい。
【００３１】
電子回路の入力端子と直流電流源の出力端子との間の電気的接続を可能にするために、第２の接着剤層は、導電材料で製作されてもよい。代替的に、１個以上の第２の接着剤層は、当該第２の接着剤層が電気絶縁材料で製作される場合でさえも電気的接続が可能になるように、入力端子／パッドの一部分を露出させた状態にされていてもよい。
【００３２】
バッテリアセンブリは、電子回路の入力端子と直流電流源の出力端子との間にアクティブ化部分を備え得る。アクティブ化部分は、電子回路の入力端子と直流電流源の出力端子との間における電気絶縁層であり得る。したがって、使用前における直流電流源の意図しない放電が回避されるか、又は、少なくとも制限される。
【００３３】
例示的なバッテリアセンブリにおいて、第１の接着剤層は、直流電流源に付着していてもよい。したがって、第１の接着剤層は、補聴器及び直流電流源に付着するように構成されていてもよい。このことは、生産コストを下げ得るが、その理由は、単一の接着剤層、すなわち、第１の接着剤層が、第１及び／又は第２の表面の実質的部分に適用されることができるためである。
【００３４】
第１の接着剤層は、使用後にバッテリアセンブリが補聴器から外されることを可能にする接着剤であってもよい。
【００３５】
第２の接着剤層は、容易に外れることを許容しない接着剤であってもよい。したがって、第２の接着剤層は、バッテリアセンブリから直流電流源が容易に外れることを防止し得る。このことは、電子回路の入力端子と、直流電流源の出力端子と、の間の堅固な接続を確保するのに、及び、直流電流源がバッテリアセンブリから意図せずに外れるリスクを少なくとも制限するのに有益となり得る。
【００３６】
本体部分は、プリント回路基板であってもよい。したがって、製造が容易であり、生産コストを下げることができる。本体部分がシートとして実現される場合、シートはプリント回路基板であってもよい。
【００３７】
本体部分は、第１の端及び第２の端を有する細長いシートであってもよい。シート及び／又は本体部分は、１０ｍｍから５０ｍｍの範囲の長さを有していてもよい。
【００３８】
シート及び／又は本体部分は、Ｔ字形状、Ｌ字形状、Ｉ字形状、又は十字形状から選択された形状を有していてもよい。異なる形状は、異なる目的に有益であり得、さらに、信頼性と生産コストとを折衷したものとなり得る。
【００３９】
シート及び／又は本体部分は、第１の折線を含む１本以上の折線を備えていてもよい。複数本の折線のうちの１本以上の折線、たとえば第１の折線は、電子回路の入力端子を直流電流源の出力端子に接触させるように構成されていてもよい。例示的なバッテリアセンブリにおいて、第１の折線は、第２の入力端子を第２の出力端子に接触させるように構成されていてもよい。
【００４０】
シート及び／又は本体部分は、第１の折線、第２の折線、第３の折線、第４の折線、及び／又は第５の折線を含む複数本の折線を備えていてもよい。例示的なバッテリアセンブリにおいて、第１の折線は、第２の１次入力端子を第２の出力端子に接触させるように構成されてもよく、第２の折線は、第２の２次入力端子を第２の出力端子に接触させるように構成されてもよい。
【００４１】
直流電流源及びシートは、共に同梱されるか、又は、個々に頒布されていてもよい。バッテリアセンブリは、直流電流源と共に提供されてもよい。代替的に、バッテリアセンブリは、直流電流源なしで提供されてもよく、したがって、直流電流源を受けるように構成されていてもよい。
【００４２】
さらに、補聴器に給電するための方法が開示される。この方法は、本明細書に記載されたバッテリアセンブリを提供することと、任意に、バッテリアセンブリの本体部分に直流電流源を取り付けることと、直流電流源をアクティブにすることとを含む。
【００４３】
この方法はさらに、バッテリアセンブリを補聴器に、たとえば、補聴器の補聴器筺体に取り付けることを含んでいてもよい。
【００４４】
ＤＣ源をアクティブにすることは、ＤＣ源の１個以上の出力端子、たとえば第２の出力端子及び／又は第１の出力端子を、バッテリアセンブリのパッドに接続することを含んでいてもよい。
【００４５】
ＤＣ源をアクティブにすることは、ＤＣ源からバッテリ・アクティブ化タブを取り外すか、又は、剥がすことを含んでいてもよい。
【００４６】
ＤＣ源をアクティブにすることは、バッテリアセンブリの１本以上の保護シートを取り外すか、又は、剥がすことを含んでいてもよい。
【００４７】
バッテリアセンブリを補聴器に取り付けることは、第１の取り付け部材を補聴器筺体に取り付けることを含んでいてもよい。
【００４８】
バッテリアセンブリを補聴器に取り付けることは、第１の誘導コイルを補聴器の誘導コイルにアライメントすることを含んでいてもよい。
【００４９】
バッテリアセンブリを補聴器に取り付けることは、たとえば、第１の接着剤層を被覆する第１の保護シートを取り外すことによって、第１の接着剤層を露出させることを含んでいてもよい。
【００５０】
図１は、例示的なバッテリアセンブリ２が取り付けられた補聴器３を備えた例示的な補聴器システム１を概略的に例示する。バッテリアセンブリ２は、シート４の形の本体部分４Ａと、電子回路２２と、任意にシート４に取り付けられたか、又は、シート４に取り付け可能な直流電流源１２と、を備える。直流電流源１２は、第１の出力端子１６及び第２の出力端子１８を有し、製造中に、又は、補聴器への取り付けの前に、ユーザによってシートに取り付けられてもよい。第１の表面の少なくとも特定部分上の第１の接着剤層などの第１の取り付け部材（図示せず）は、シート４／バッテリアセンブリ２を補聴器３に取り付ける。
【００５１】
シート４は、第１の表面６及び第２の表面８を有し、誘導コイル１１として形成された第１の電極１０を備える。
【００５２】
電子回路２２は、第１のパッド２４及び第２のパッド２６を介して直流電流源１２に接続された第１の入力端子２３及び第２の入力端子２７を有する。電子回路２２は、直流電流源１２からの直流電流を、誘導コイル１１内の交流電流に変換する。
【００５３】
バッテリアセンブリ２の誘導コイル１１内の交流電流は、当該誘導コイル１１が補聴器３内の誘導コイル（図示せず）のごく近傍にあるときに、補聴器３内の誘導コイル内に電磁力を誘導する交流磁場を生成する。
【００５４】
図１の例示は、取り付けられた直流電流源１２を備えたバッテリアセンブリ２を描写している。バッテリアセンブリ２は、ここではボタン型バッテリとして典型的に示されている。バッテリアセンブリ２は、補聴器３に取り付けられ、バッテリアセンブリ２の誘導コイル１１と補聴器３の誘導コイル（図示せず）との間に誘導結合を生じる。したがって、バッテリアセンブリ２は、直流電流源１２が、誘導結合を介して補聴器３に給電及び／又は充電することを可能にする。
【００５５】
ユーザは、補聴器３の内部バッテリに毎日充電し得る。しかしながら、補聴器３の内部バッテリ（図示せず）は、どの誘導充電器も利用可能ではない間に、又は、補聴器が使用されている間に、電力が切れる恐れがある。内部バッテリの電力が切れた場合、示されるように、バッテリアセンブリ２は、補聴器３に容易にかつ簡便に取り付けられることができる。補聴器３は、次いで、誘導結合を介して、直流電流源１２によって提供された電力により給電されることが可能となる。
【００５６】
図２は、例示的なバッテリアセンブリ２を概略的に例示する。バッテリアセンブリ２は、シート４の形の本体部分４Ａと直流電流源１２とを備える。直流電流源１２は、筺体１４を備え、第１の出力端子１６及び第２の出力端子１８を有する。
【００５７】
バッテリアセンブリ２は、第１の入力端子２３及び第２の入力端子２７を有する電子回路２２を備える。第１の入力端子２３は、直流電流源１２の第１の出力端子１６に第１のパッド２４を介して接続される。第１の出力端子１６は、導電性の糊又は他の係止具によって、シート４に糊付け又は係止される。導電性の糊又は他の係止具は、直流電流源１２をシート４に取り付けて第１のパッド２４及び第１の出力端子１６を電気的に接続する。第２の入力端子２７は、第２のパッド２６を介して直流電流源１２の第２の出力端子１８に接続可能である。電子回路２２は、直流電流源１２からの直流電流を、誘導コイル１１内の交流電流に変換するために、第１のパッド２４及び第２のパッド２６に接続される。
【００５８】
図２において、第２の入力端子２７は、矢印によって示されるように、第１の折線２８に沿ってシート４の折りを実施することによって、第２の出力端子１８に接続される。図２のバッテリアセンブリ２は、第１の接着剤層２０の形の第１の取り付け部材１９と、第２の接着剤層２１の形の第２の取り付け部材２１’とを備える。第２の接着剤層２１は、直流電流源１２に付着するように適合されている。また、第２の接着剤層２１は、第２の出力端子１８及び第２のパッド２６を、接触によって、及び／又は、導電性の第２の接着剤層２１を介して、電気的に接続するように適合されている。
【００５９】
第１の保護シート３４は、使用に先立ち、第１の接着剤層２０を被覆して保護している。第１の保護シート３４は、ユーザがバッテリアセンブリ２を補聴器に取り付けることを望むときに、取り外される。第２の保護シート３６は、使用に先立ち、第２の接着剤層２１を被覆して保護している。第２の保護シート３６は、ユーザがバッテリアセンブリ２／直流電流源１２をアクティブにすることを望むときに、取り外される。
【００６０】
図３は、本体部分４ＡがＩ字形状シート４として形成された、例示的なバッテリアセンブリ２を概略的に例示する。直流電流源１２は、空気によってアクティブにされるバッテリとして図３において典型的に示されており、筺体１４における１個以上のアクティブ化開口を封止するバッテリ・アクティブ化タブ１３を備える。バッテリ・アクティブ化タブ１３を取り外すと、筺体１４のアクティブ化開口に空気が入ることが可能になり、したがって、直流電流１２をアクティブにする。
【００６１】
バッテリアセンブリ２は、直流電流源１２をシート４に付着させるように構成された２つの第２の接着剤層２１Ａ及び２１Ｂを備える。さらに、１次の第２の接着剤層２１Ａは、第１のパッド２４及び直流電流１２の第１の出力端子１６を電気的に接続し、２次の第２の接着剤層２１Ｂは、第２のパッド２６及び直流電流１２の第２の出力端子１８を電気的に接続する。任意に、シート４は、第２の折線３０及び／又は第３の折線３２を有しており、直流電流１２の周囲におけるシート４の折りを可能にして、ＤＣ源を備えた、よりコンパクトなバッテリアセンブリ２を提供する。
【００６２】
図４〜図６は、異なる形状ではあるが、類似する機能上の特徴を備えたシート４の形の、例示的な本体部分４Ａを概略的に例示する。
【００６３】
図４は、図３に関して解説されたシートと比較することの可能な例示的なシート４を示す。ここで、シート４の初期形状はＩ字形状である。第１の折線２８は、シート４の長手方向に垂直な線に沿った折りを案内する。
【００６４】
図５は、シート４の初期形状がＴ字形状である例示的なシート４を示す。シート４は、第１の折線２８及び第２の折線３０を備える。さらに、図５に例示されたシート４は、１次の第２のパッド２６Ａと、２次の第２のパッド２６Ｂと、を備える。第１の折線２８は、１次の第２のパッド２６Ａが、取り付けられた直流電流源の第２の出力端子１８に接続することを可能にする。第２の折線３０は、２次の第２のパッド２６Ｂが、取り付けられた直流電流源の第２の出力端子１８に接続することを可能にする。
【００６５】
図５に例示されたシート４は、１次の第２の接着剤層２１Ａ、２次の第２の接着剤層２１Ｂ、及び３次の第２の接着剤層２１Ｃを含む複数個の第２の接着剤層２１Ａ、２１Ｂ、２１Ｃを備える。複数個の第２の接着剤層２１Ａ、２１Ｂ、２１Ｃは、第１のパッド２４、１次の第２のパッド２６Ａ、及び２次の第２のパッド２６Ｂの各々が、それぞれ、直流電流源１２に付着することを可能にする。
【００６６】
図５に例示された第１の折線２８及び第２の折線３０は、シート４の長手方向に平行な線に沿ってシート４の折りを案内する。
【００６７】
図６は、シート４の初期形状がＬ字形状である例示的なシート４を示す。シート４は第１の折線２８を備えている。ここで、第１の折線２８は、シート４の長手方向に平行な線に沿ってシートの折りを案内する。
【００６８】
図７は、直流電流源１２とシート４との間の例示的な境界面を概略的に示す。直流電流源１２は、第１の出力端子１６及び第２の出力端子１８を備える。さらに、直流電流源１２は、電解質４４を封入している。シート４は、第１の表面６及び第２の表面８を備え、ベース層４０と非伝導性層４２とを有する。第１の表面６上の１次の第２の接着剤層２１は、第１のパッド２４及び第１の出力端子１６を電気的に接続する。
【００６９】
図８は、バッテリアセンブリ２と補聴器３との間の誘導結合を概略的に示す。バッテリアセンブリ２は、直流電流源１２、電子回路２２、及び誘導コイル１１を備える。電子回路２２は、直流電流源１２からの直流電流を、交流電流に変換する発振器５８を備える。当該交流電流は、誘導コイル１１内に交流電磁場を誘導する。補聴器３は、誘導コイル６０、ダイオード６２、コンデンサ回路６４、処理ユニット６６、マイクロフォン６８、及び、受信機７０を備える。誘導コイル１１は、補聴器３の誘導コイル６０内に交流電磁場を誘導し、交流電流を生じる。したがって、補聴器３の誘導コイル６０によって生成された交流電流は、ダイオード６２及びコンデンサ回路６４によって整流されている。直流電流は、補聴器３の機能部分に供給されて補聴器回路に効果的に給電する。ここでは、直流電流が処理ユニット６６に供給されているものとして例示される。
【００７０】
図９は、補聴器に給電する方法１００のフロー図を例示する。方法１００は、直流電流源と共にバッテリアセンブリを提供すること１０２と、直流電流源をアクティブにすること１０４と、バッテリアセンブリを補聴器筺体に取り付けること１０６とを含む。提供されるバッテリアセンブリは、本明細書に記載され、かつ、特に図１〜図８に関するバッテリアセンブリであってもよい。
【００７１】
以下の項目は、本翻訳文提出書の特許請求の範囲に記載の要素である。
（項目１）
補聴器に給電するためのバッテリアセンブリであって、
少なくとも第１の表面及び第２の表面を有する本体部分であって、誘導コイルとして形成された第１の電極を備える前記本体部分と、
前記補聴器の補聴器筺体に前記本体部分を取り付けるための第１の取り付け部材であって、前記第１の表面のうちの少なくとも特定部分上にある前記第１の取り付け部材と、
直流電流源を前記本体部分に取り付けるための第２の取り付け部材と、
前記直流電流源の第１の出力端子及び第２の出力端子にそれぞれ接続可能な第１の入力端子及び第２の入力端子を有する電子回路であって、前記第１の電極に接続されており、前記直流電流源からの直流電流を前記誘導コイル内の交流電流に変換するように構成されている前記電子回路と、
を備える、バッテリアセンブリ。
（項目２）
前記本体部分がシートとして実現されている、項目１に記載のバッテリアセンブリ。
（項目３）
前記第１の取り付け部材は、前記第１の表面又は前記第２の表面の少なくとも一部分を被覆する第１の接着剤層である、項目１又は２に記載のバッテリアセンブリ。
（項目４）
前記第２の取り付け部材は、前記第１の入力端子及び／又は前記第２の入力端子に電気的に接続された１個以上の導電性の第２の接着剤層を備える、項目１から３のいずれか一項に記載のバッテリアセンブリ。
（項目５）
前記バッテリアセンブリは、前記第１の接着剤層を被覆する取り外し可能な第１の保護シートを備える、項目３に記載のバッテリアセンブリ。
（項目６）
前記バッテリアセンブリは、バッテリ・アクティブ化タブによって、又は、前記第１の表面の一部分によって封止された１個以上のアクティブ化開口が設けられた筺体を有するバッテリである前記直流電流源を備える、項目１から５のいずれか一項に記載のバッテリアセンブリ。
（項目７）
前記バッテリアセンブリは、前記１個以上の第２の接着剤層を被覆する１枚以上の第２の保護シートを備える、項目４に記載のバッテリアセンブリ。
（項目８）
前記バッテリアセンブリは、前記電子回路の入力端子と前記直流電流源の出力端子との間にアクティブ化部分を備える、項目１から７のいずれか一項に記載のバッテリアセンブリ。
（項目９）
前記本体部分がプリント回路基板である、項目１から８のいずれか一項に記載のバッテリアセンブリ。
（項目１０）
前記第１の接着剤層が、前記補聴器の前記補聴器筺体に付着するように構成されている、項目１から９のいずれか一項に記載のバッテリアセンブリ。
（項目１１）
前記本体部分は、１０ｍｍから５０ｍｍの範囲の長さを有し、第１の端及び第２の端を有する細長いシートである、項目１から１０のいずれか一項に記載のバッテリアセンブリ。
（項目１２）
前記本体部分は、Ｔ字形状、Ｌ字形状、Ｉ字形状、又は十字形状から選択された形状を有する、項目１から１１のいずれか一項に記載のバッテリアセンブリ。
（項目１３）
直流電流源で補聴器に給電する方法であって、
バッテリアセンブリを提供することと、
前記バッテリアセンブリの本体部分に前記直流電流源を取り付けることと、
前記直流電流源をアクティブにすることと、
を含み、
前記バッテリアセンブリは、
少なくとも第１の表面及び第２の表面を有する前記本体部分であって、誘導コイルとして形成された第１の電極を備える前記本体部分と、
前記補聴器の補聴器筺体に前記本体部分を取り付けるための第１の取り付け部材であって、前記第１の表面のうちの少なくとも特定部分上にある前記第１の取り付け部材と、
前記直流電流源を前記本体部分に取り付けるための第２の取り付け部材と、
前記直流電流源の第１の出力端子及び第２の出力端子にそれぞれ接続可能な第１の入力端子及び第２の入力端子を有する電子回路であって、前記直流電流源からの直流電流を前記誘導コイル内の交流電流に変換するために前記第１の電極に接続されている電子回路と、
を備える、方法。
（項目１４）
前記方法は、さらに、
前記バッテリアセンブリを前記補聴器に取り付けることと、
前記誘導コイルを前記補聴器の誘導コイルにアライメントすることと、
を含む、項目１３に記載の方法。
（項目１５）
前記バッテリアセンブリを前記補聴器に取り付けることは、第１の接着剤層を被覆する第１の保護シートを取り外すことによって、前記第１の接着剤層を露出させることを含む、項目１４に記載の方法。
【符号の説明】
【００７２】
１：補聴器システム
２：バッテリアセンブリ
３：補聴器
４：シート
４Ａ：本体部分
６：第１の表面
８：第２の表面
１０：第１の電極
１１：誘導コイル
１２：直流電流源
１３：バッテリ・アクティブ化タブ
１４：筺体
１６：第１の出力端子
１８：第２の出力端子
１９：第１の取り付け部材
２０：第１の接着剤層
２１’：第２の取り付け部材
２１：第２の接着剤層
２１Ａ：１次の第２の接着剤層
２１Ｂ：２次の第２の接着剤層
２１Ｃ：３次の第２の接着剤層
２２：電子回路
２３：第１の入力端子
２４：第１のパッド
２６：第２のパッド
２６Ａ：１次の第２のパッド
２６Ｂ：２次の第２のパッド
２７：第２の入力端子
２８：第１の折線
３０：第２の折線
３２：第３の折線
３４：第１の保護シート
３６：第２の保護シート
４０：ベース層
４２：非伝導性層
４４：電解質
５８：発振器
６０：誘導コイル
６２：ダイオード
６４：コンデンサ回路
６６：処理ユニット
６８：マイクロフォン
７０：受信機
１００：補聴器に給電する方法
【図１】
2015109275.tif 000002
【図２】
2015109275.tif 000003
【図３】
2015109275.tif 000004
【図４】
2015109275.tif 000005
【図５】
2015109275.tif 000006
【図６】
2015109275.tif 000007
【図７】
2015109275.tif 000008
【図８】
2015109275.tif 000009
【図９】
2015109275.tif 000010
【外国語明細書】
2015109275000001.pdf
2015109275000002.pdf
2015109275000003.pdf
2015109275000004.pdf